(57)【要約】      （修正有）【課題】作業壁面と作業足場の間隔は、壁面の構造や足場の構成によって変化するが、構成部品を変えるような煩雑な作業を必要とせずに、広い壁つなぎ間隔範囲に適合可能な壁つなぎ装置を提供する。【解決手段】作業壁面Ａと作業足場Ｂをつなぐ機構をパンタグラフ式ジャッキと同様構造として、単一装置で広い間隔範囲の壁つなぎを行うことができる。壁つなぎ装置１は、パンタグラフ式構造によって広い範囲のつなぎ間隔に対処できる構想に基づく。【選択図】図２
2014043681.tif 000002
【特許請求の範囲】
【請求項１】
作業壁面の構成の一部に取り付ける壁取り付け部材と、該壁取り付け部材の端部が回動自在に支承された一対の第１リンクアーム部材と、該一対の第１リンクアーム部材の他端部にそれぞれ一端部が回動自在に連結された一対の第２リンクアーム部材と、該一対の第２リンクアーム部材の他端部のそれぞれを回動自在に支承する、作業足場に取り付ける足場取り付け部材と、前記一対の第１リンクアーム部材と前記一対の第２リンクアーム部材との連結点間に回動自在に配設され、その回転軸線と直交する軸線に螺旋穴が開けられた連結軸部材１と、前記回転軸線と直交する軸線を有するねじ部材の一端部が、回動自在かつ軸方向相対移動不能に嵌合されている連結軸部材２と、ねじ部材とを具備することを特徴とする壁つなぎ装置。
【請求項２】
請求項１の壁つなぎ装置において、前記ねじ部材の一端を電動ドライバーと連接可能な構造としたことを特徴とする壁つなぎ装置。
【発明の詳細な説明】
【技術分野】
【０００１】
本発明は、ビルメインテナンスのような高所壁面の作業を行う作業足場を、ビル壁面へ繋ぎ固定する場合の壁つなぎ装置に関するものである。
【背景技術】
【０００２】
現在、ビル壁面のメインテナンス等の作業においてはゴンドラを吊り下げて作業を行う方法や地上より足場を組んで作業を行う方法がある。ゴンドラによる作業方法は、風などによりゴンドラが振れて作業が安定してできないという欠点がある。
【０００３】
地上より足場を組む場合、特に高所作業時には壁面に作業足場をしっかり固定する必要がある。しかし、壁面構造が一様な平面でない場合も多く、この場合は壁面と足場の間隔は一定ではなく、壁面と足場の異なる間隔に対処できる固定装置が必要である。
【０００４】
従来は図１の如く作業足場から壁面の一部であるアンカーボルトまで工事用単管及びクランプを用いて接続していた。この方法では壁面と足場の間隔が変わると単管の長さを変えて接続し直さねばならないため非常に作業効率が悪かった。
【０００５】
また、従来他の方法として、上記の壁面と作業足場の固定装置は、壁つなぎ装置として各種の提案がなされている。特許文献１に開示されるのは、実際によく用いられる壁つなぎ構造に係る技術思想である。部品点数が少なく、施行工事作業が容易な点ではすぐれた考案であるが、壁面と作業足場の間隔はターンバックル状の管体の長さによって規定される。このため、上記間隔は、最短間隔はほぼ管体の長さであり、最長間隔は管体のほぼ２倍の長さに制限されてしまう。
【０００６】
上記の様に、特許文献１のような方法では、壁面と作業足場の間隔をより短くする場合、より短い管体に交換あるいは長くする場合等において、より長い管体に交換せねばならず大変手間がかかってしまう。
【０００７】
特許文献２に開示される技術思想は、特許文献１よりさらに簡単な構成であるが、壁面と足場の間隔が主軸雄ネジ部の長さで規定されるため、特許文献１と同様に多様な間隔の壁面や種々の作業場面に対応するには大変手間がかかってしまう。
【先行技術文献】
【特許文献】
【０００８】
【特許文献１】特開平１０−２３１６２２号公報
【特許文献２】特開２００１−２５４５１０号公報
【発明の概要】
【発明が解決しようとする課題】
【０００９】
前述のような事情に鑑み、本願では、壁面と足場を固定する壁つなぎ装置として、両者をしっかり固定して足場の安全性を確保する一方、容易に適合できる壁つなぎ装置を実現することを課題とする。
【００１０】
また、壁つなぎ装置の構成部品を変えるような煩雑な作業を必要とせずに広い壁つなぎ間隔範囲に適合可能とすることも課題とする。
【課題を解決するための手段】
【００１１】
上記のような各課題を解決するために、本発明に係る壁つなぎ装置においては、壁面と足場をつなぐ壁つなぎ装置としてパンタグラフ式ジャッキと同様構造を採用する。これにより、従来の壁つなぎ装置より、より広い間隔範囲を１種類の壁つなぎ装置でつなぐことができる。
【００１２】
また、パンタグラフ式構成のねじ棒の回転を電動ドライバーとの連接構造とすることにより、容易に素早く壁つなぎが行える。
【発明の効果】
【００１３】
以上、説明したように、作業用足場と壁面を直線的につなぐのではなく、パンタグラフ式構造としてつなぐことにより、より広範囲の間隔を１種類の壁つなぎ装置でカバーできるため、足場と壁面の距離が変わっても構成部品を変えることなく対処できる。このため作業効率が非常に向上する。
【００１４】
また、本発明に係る壁つなぎ装置を用いれば、足場から壁面への間隔に合わせて電気ドリル等で簡単に壁つなぎ装置の長さを調節して取り付けることができるので作業効率がさらに向上する。
【図面の簡単な説明】
【００１５】
【図１】従来の壁つなぎ装置の実施例である。
【図２】本発明の一実施形態に係る壁つなぎ装置の一実施例を示す概略図である。
【図３】本発明の一実施形態に係る壁つなぎ装置によって最短間隔をつないだ場合の概略図である。
【図４】本発明の一実施形態に係る壁つなぎ装置によって最長間隔をつないだ場合の概略図である。
【図５】本発明の一実施形態に係る壁つなぎ装置の補強構造部材の例を示す図である。
【発明を実施するための形態】
【００１６】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００１７】
図２は本発明の一実施形態に係る壁つなぎ装置の概略図であり、作業足場のマスト部分と作業壁面に取り付けられたアンカーボルトあるいは壁金具を本発明の壁つなぎ装置によってつないだ概略図である。
【００１８】
本発明の壁つなぎ装置１は、作業壁面Ａに取り付けられた壁金具Ａ１に取り付ける壁取り付け部材２と作業足場Ｂに取り付ける足場取り付け部材３と、両者２、３間に介装されて壁取り付け部材２と取り付け部材３の間隔を可変連結するリンクアーム部材４、５、６、７と、該リンクアーム部材を可変するためのねじ部材８とを有して構成されている。
【００１９】
リンクアーム部材４、５は長手方向一端部がそれぞれ壁取り付け部材２に回動可能に連結されており、リンクアーム部材４、５の他端部はリンクアーム部材６、７の長手方向の一端部と連結軸９、１０を介して回動可能に連結されている。リンクアーム部材６、７の他端部は足場取り付け部材３に回動可能に連結されている。
【００２０】
上記連結軸９は、その軸線と直交する軸線に螺旋穴が開けられておりネジ部材８が螺挿されている。一方、上記連結軸１０は、その軸線と直交する軸線を有するねじ部材８の一端部が、回転自在かつ軸方向相対移動不能に嵌合されている。従って、ねじ部材８を回転操作することにより両連結軸９、１０を近接、離反させることができ、それによりリンクアーム部材４、５、６、７によって作業壁面Ａに取り付ける壁取り付け部材２と作業足場Ｂに取り付ける取り付け部材３との間隔を変化させることができる。図４は、こうして最長間隔をつないだ場合を示した概略図である。
【００２１】
上記ねじ部材８の回転は、該ねじ部材８の軸方向相対移動不能に嵌合されている一端部に軸方向と直交する貫通孔１１を設け、この貫通孔１１にハンドル１２を挿入して行うことができる。また、ねじ部材８にあらかじめハンドル１２を固定一体化しておいても良い。
【００２２】
上記で説明した本発明による壁つなぎ装置の構造は、いわゆるパンタグラフ式ジャッキと同様構造であるが、ジャッキのように重量物を支えるためのものではなく、作業壁面Ａに対して作業用足場Ｂを固定するためのものであるから、本発明の壁つなぎ装置１の各構成部品の強度は、ジャッキの構成部品ほどの強度は必要としない。つまり、重量支持機能ではなく位置固定機能の実現の為に上記構造が採用されたものである。
【００２３】
上記説明においては、リンクアーム部材４、５、６、７を平板構造として説明したが、補強のためコの字型の構造としてもよく、図５では上記補強の例として新しいリンクアーム部材５´と７´、及び連結部材９´を例示している。以上のように、本発明による壁つなぎ装置１の各構成部品の形状は色々考えられるが、それらはすべて本発明の発明思想に含まれるものである。
【００２４】
これらのように、本願技術思想の範囲内で種々の変更・追加を行うことが可能である。
【００２５】
たとえば、図３では、ねじ部材８の軸方向相対移動不能に嵌合されている一端部を電動ドライバーのチャック構造１２とすることにより、ねじ部材８の回転を人力ではなく電動ドライバーで行って作業効率向上を図る例を示している。これも本願の技術思想の範囲内のものである。
【００２６】
さらに、チャック構造１２部分にユニバーサルジョイントを用いれば、ネジ部材８の回転軸方向をかえて作業足場から簡単にネジ部材８の回転を行うこともできる。
【産業上の利用可能性】
【００２７】
上述してきたように、本願に係る発明によれば、装置の構成部品を変えることなく作業壁面と作業足場の広い範囲の間隔に対応することができる。このため、従来、つなぎ長さの異なる数種の壁つなぎ装置を準備していたところ、本発明の壁つなぎ装置を用いれば、１種類の壁つなぎ装置で対応できるため作業効率を向上させることができる。
【００２８】
更に本願に係る発明は、壁つなぎ装置としてばかりでなく間隔が変わる足場同士を連結したり、足場の構造材としても広く応用することが可能である。
【符号の説明】
【００２９】
１…壁つなぎ装置、２…壁取り付け部材、３…足場取り付け部材、４…リンクアーム部材、５…リンクアーム部材、６…リンクアーム部材、７…リンクアーム部材、８…ねじ部材、９…連結部材、１０…連結部材、１１…貫通孔、１２…ハンドル、１３…チャック構造
【図１】
2014043681.tif 000003
【図２】
2014043681.tif 000004
【図３】
2014043681.tif 000005
【図４】
2014043681.tif 000006
【図５】
2014043681.tif 000007